(57)【要約】【課題】賦香された組成物を収容してなり、外部への香気物質の漏洩防止性に優れ、且つ内容物の香気安定性に優れた、容器入り柔軟剤を提供する。【解決手段】（ａ）ＬｏｇＰが３〜３０の香料成分を４０〜１００質量％含有する香料組成物を０．５〜２０質量％と（ｂ）特定の非イオン性化合物と（ｃ）柔軟基剤とを含有する柔軟剤組成物を、特定の積層材料から形成される袋状容器に充填してなる、容器入り柔軟剤。【選択図】なし【特許請求の範囲】
【請求項１】
下記（ａ）成分を１〜２０質量％、（ｂ）成分、及び（ｃ）成分を含有する柔軟剤組成物を、ポリエチレンテレフタレート層、アルミニウム蒸着層が形成されたプラスチックからなる層、及びアルミニウム層から選ばれる厚さ３〜５０μｍの層を１層以上含む、厚さ１００〜２５０μｍの積層材料から形成される袋状容器に充填してなる、容器入り柔軟剤。
（ａ）成分：ＬｏｇＰｏｗが３〜３０の香料成分を４０〜１００質量％含有する香料組成物
（ｂ）成分：下記一般式（１）で表される非イオン性化合物から選ばれる少なくとも１種の非イオン性化合物
Ｒ11−Ｏ−（Ｒ12−Ｏ）m−Ｈ          （１）
〔式中、Ｒ11は、炭素数８〜２８のアルキル基もしくはアルケニル基、炭素数６〜１８のアリール基、又は炭素数７〜２０のアルキルアリール基であり、Ｒ12は炭素数２〜８のアルキレン基であり、ｍは、１〜１００の数である。〕
（ｃ）成分：柔軟基剤
【請求項２】
前記柔軟剤組成物が、更に酸化防止剤として、ジブチルヒドロキシトルエン（ＢＨＴ）及びブチルヒドロキシアニソール（ＢＨＡ）から選ばれる一種以上の化合物を含有する請求項１記載の容器入り柔軟剤。
【請求項３】
前記柔軟剤組成物が、更に金属封鎖剤として、エチレンジアミン四酢酸又はその塩を含有する請求項１又は２記載の容器入り柔軟剤。
【請求項４】
上記積層材料が複合フィルム基剤である請求項１〜３記載の容器入り柔軟剤。
【請求項５】
袋状容器が、
ポリエチレンテレフタレート層、アルミニウム蒸着層が形成されたプラスチックからなる層、及びアルミニウム層から選ばれる厚さ３〜５０μｍの層を１層以上と、延伸ナイロン（ＯＮｙ）からなる層、ポリエチレンテレフタレート（ＰＥＴ）からなる層より選ばれる１層以上とを含んで構成される基材層と、
無延伸ポリプロピレン（ＣＰＰ）からなる層、直線状低密度ポリエチレン（Ｌ−ＬＤＰＥ）からなる層、及び低密度ポリエチレン（ＬＤＰＥ）からなる層より選ばれる１層以上からなるシーラント層と、
及び、必要に応じて、それらの基材層とシーラント層との間に、更に延伸ポリプロピレン（ＯＰＰ）、高密度ポリエチレン（ＨＤＰＥ）、金属蒸着ポリエチレンテレフタレート（ＶＭ−ＰＥＴ）、金属フィルムより選ばれる材料からなる層と、
を積層した構造を有する袋状容器である、請求項１〜４記載の容器入り柔軟剤。
【発明の詳細な説明】
【技術分野】
【０００１】
本発明は容器入り柔軟剤に関する。
【背景技術】
【０００２】
近年、香りへの嗜好が高まっており、衣類、髪の毛、硬質表面などに香りを付着させ、また、香りが長時間持続することが望まれている。最近はより強く、長く残る香調を好む傾向が強まっており、繊維処理剤、たとえば柔軟剤などに配合されるときには、より繊維上に残留しやすい香料として、ｌｏｇＰｏｗが３以上の疎水性の高い香料を用いることが提案されている。例えば、特許文献１、２には、残香性に優れた柔軟剤用の香料組成物が開示されている。また、特許文献３には、持続性香料を含有する布地軟化剤組成物が開示されている。
【０００３】
一方、環境保護の観点から家庭用品は詰め替え品、特にパウチ形状をした詰め替え品を詰め替えて使用することが一般的となってきており、パウチの包装材料についても様々な提案がなされている。更に環境、資源問題やコスト削減の観点から成型材料の薄肉化がより強く求められるようになってきている。パウチ包装やレトルト包装に使用しうる包装材料として、特許文献４〜６のような積層構造を有するものが知られている。
【先行技術文献】
【特許文献】
【０００４】
【特許文献１】特開２００４−２１０９５９号公報
【特許文献２】特開２００６−１２４８８４号公報
【特許文献３】特表平１１−５０４９９４号公報
【特許文献４】特開２００１−１２１６４９号公報
【特許文献５】特開２０００−２８０３９４号公報
【特許文献６】特開平６−１７１０３４号公報
【発明の概要】
【発明が解決しようとする課題】
【０００５】
製品の香り強度を向上させるには、製品中の香料配合量を向上させるのが最も効果的である。しかしながら省資源化の目的で薄肉化した詰め替え容器に香り強度の強い組成物を充填した場合、包装材料を通過して外部にまで香料が拡散してしまう問題がある。外部への香料拡散は内容液の香気安定性を低下させるだけでなく、着香することが望まれていない物品、例えば食品などへ香料が移ってしまうことがあり、好ましくない。また、ｌｏｇＰｏｗの低い香料を多量に用いた場合には、期待した高い残香性が得られないといった課題がある。
【０００６】
本発明の課題は、賦香された柔軟剤組成物を収容してなり、外部への香気物質の漏洩防止性に優れ、且つ内容物の香気安定性に優れた、容器入り柔軟剤を提供することである。
【課題を解決するための手段】
【０００７】
本発明は、下記（ａ）成分を０．５〜２０質量％、（ｂ）成分、及び（ｃ）成分を含有する柔軟剤組成物を、
ポリエチレンテレフタレート層、アルミニウム蒸着層が形成されたプラスチックからなる層、及びアルミニウム層から選ばれる厚さ５〜５０μｍの層を１層以上含む、厚さ１００〜２５０μｍの積層材料から形成される袋状容器に充填してなる、
容器入り柔軟剤に関する。
（ａ）成分：ＬｏｇＰｏｗが３〜３０の香料成分を４０〜１００質量％含有する香料組成物
（ｂ）成分：下記一般式（１）で表される非イオン性化合物から選ばれる少なくとも１種の非イオン性化合物
Ｒ11−Ｏ−（Ｒ12−Ｏ）m−Ｈ          （１）
〔式中、Ｒ11は、炭素数８〜２８のアルキル基もしくはアルケニル基、炭素数６〜１８のアリール基、又は炭素数７〜２０のアルキルアリール基であり、Ｒ12は炭素数２〜８のアルキレン基であり、ｍは、１〜１００の数である。〕
（ｃ）成分：柔軟基剤
【発明の効果】
【０００８】
本発明によれば、賦香された柔軟剤組成物を収容してなり、外部への香気物質の漏洩防止性に優れ、且つ内容物の香気安定性に優れた、容器入り柔軟剤が提供される。
【発明を実施するための形態】
【０００９】
＜柔軟剤組成物＞
（ａ）成分は、ＬｏｇＰｏｗが３〜３０の香料成分を４０〜１００質量％含有する香料組成物である。
【００１０】
ここでＬｏｇＰｏｗとは、化合物の１−オクタノール／水分配係数で、ｆ値法（疎水性フラグメント定数法）により計算で求められた値をいう。具体的には、化合物の化学構造を、その構成要素に分解し、各フラグメントの有する疎水性フラグメント定数（ｆ値）を積算して求めることができ、CLOGP3 Reference Manual Daylight Software 4.34, Albert Leo, David Weininger, Version1, March 1994を参考にすることができる。
【００１１】
ＬｏｇＰｏｗが３〜３０の香料成分としては、ｉ）α−ピネン（4.18）、β−ピネン（4.18）、カンフェン（4.18）、リモネン（4.35）、テルピノーレン（4.35）、ミルセン（4.33）、ｐ−サイメン（4.07）、β−カリオフィレン（6.45）から選ばれる炭化水素系香料、ii）サンダルマイソールコア（3.9）、サンタロール（3.9）、ｌ−メントール（3.2）、シトロネロール（3.25）、ジヒドロミルセノール（3.03）、エチルリナロール（3.08）、ムゴール（3.03）、ネロリドール（4.58）から選ばれるアルコール系香料、iii）アルデヒドＣ−１１１（4.05）、グリーナール（3.13）、マンダリンアルデヒド（4.99）、シトラール（3.12）、シトロネラール（3.26）、アミルシンナミックアルデヒド（4.32）、ヘキシルシンナミックアルデヒド（4.85）、リリアール（3.86）、シクラメンアルデヒド（3.5）、セトナール（4.86）、ボロナール（4.72）、マセアール(3.6)、ベルンアルデヒド（4.88）、マイラックアルデヒド（3.87）、ジヒドロジャスモン（3.13）、イオノンα（3.71）、メチルイオノンα（4.24）、メチルイオノンＧ（4.02）、トリメチルウンデセナール（5.16）から選ばれるアルデヒド、ケトン系香料、iv）ヘプチルアセテート（3.36）、シトロネリルアセテート（4.20）、ゲラニルアセテート（3.72）、リナリルアセテート（3.50）、ヘキシルサリシレート（5.09）、エチルシンナメート（3.0）、ベンジルサリシレート（4.2）、イソブチルサリシレート（3.92）から選ばれるエステル系香料、ｖ）チモール（3.40）、バニトロープ（3.11）から選ばれるフェノール系香料、vi）セドロキサイド（4.58）、シトロネリルエチルエーテル（4.36）、アネトール（3.31）、ネロリンヤラヤラ（3.24）、エステラゴール（3.1）、メチルイソオイゲノール（3.0）、アンブロキサン（5.27）から選ばれるエーテル系香料、テンタローム（5.7）、パールライド（5.7）などを挙げることができる。なお、（  ）内はＬｏｇＰｏｗ値である（以下、同様）。
【００１２】
本発明の（ａ）成分は、ＬｏｇＰｏｗが３．０〜３０の香料成分、好ましくは香りの持続性の点からＬｏｇＰｏｗが３．０〜６．５の香料成分を、４０〜１００質量％、好ましくは５０〜１００質量％、より好ましくは６０〜１００質量％含有する。このような（ａ）成分を用いることで香りの持続性に優れた柔軟剤組成物を得ることができる。
【００１３】
一般に柔軟剤組成物、特に酸性である柔軟剤組成物には使用できる香料素材は安定性の点から限定されることが知られており、特にアルデヒド系香料の使用が難しいとされていたが、本発明に用いられる（ａ）成分は、このようなアルデヒド系香料を１０〜１００質量％、好ましくは１５〜８５質量％、特に好ましくは１５〜７０質量％含有することが可能であり、調香の自由度を大幅に向上させることが可能である。
【００１４】
アルデヒド系香料としては、上述のＬｏｇＰｏｗが３〜３０のアルデヒド系香料であるアルデヒドＣ−１１１（4.05）、グリーナール（3.13）、マンダリンアルデヒド（4.99）、シトラール（3.12）、シトロネラール（3.26）、アミルシンナミックアルデヒド（4.32）、ヘキシルシンナミックアルデヒド（4.85）、リリアール（3.86）、シクラメンアルデヒド（3.5）、セトナール（4.86）、ボロナール（4.72）、マセアール(3.6)、ベルンアルデヒド（4.88）、マイラックアルデヒド（3.87）、トリメチルウンデセナール（5.16）以外に、ヘリオトロピン（1.14）、ヘリオナール（1.387）、バニリン（1.28）、エチルバニリン（1.80）、メチルバニリン（1.35）、クミンアルデヒド（2.92）、ベンズアルデヒド（1.50）、リラール（2.15）、センテナール（0.92）、ペリラアルデヒド（2.63）、ヒドロキシシトロネラール（1.64）などを挙げることができる。
【００１５】
本発明の（ａ）成分中に含有されるＬｏｇＰｏｗが３．０〜３０の香料成分以外の香料成分としては、テルピネオール（2.6）、ゲラニオール（2.77）、リナロール（2.55）、ミルセノール（2.61）、ネロール（2.77）、シス−ジャスモン（2.64）、フェニルエチルアセテート（2.13）、アリルアミルグリコレート（2.51）、リファローム（2.26）、シス−３−ヘキシルアセテート（2.34）、スチラリルアセテート（2.27）、ｏ−ｔ−ブチルシクロヘキサノン（2.27）、ｐ−ｔ−ブチルシクロヘキサノン（2.27）、アセチルオイゲノール（2.83）、シンナミルアセテート（2.35）、オイゲノール（2.40）、イソオイゲノール（2.58）、モスシンス（2.94）、アニソール（2.06）、メチルオイゲノール（2.78）等を挙げることができる。
【００１６】
なお、本発明で用いた香料素材の名称は、「香料と調香の基礎知識」中島基貴著、産業図書（株）発行  第２刷（１９９６年５月３０日）の記載に従った。
【００１７】
本発明の（ａ）成分には上記香料成分以外に、希釈剤、保留剤を含有することが出来る。希釈剤、保留剤の好適な例としては、ジプロピレングリコール、パルミチン酸イソプロピルエステル、ジエチルフタレート、ベンジルベンゾエート、流動パラフィン，イソパラフィン、油脂等を挙げることができる。（ａ）成分中の希釈剤及び保留剤は、０〜８０質量％であり、好ましくは、１〜６０質量％含有するのが好ましい。
【００１８】
本発明に係る柔軟剤組成物は、（ａ）成分を０．５〜２０質量％、好ましくは０．５〜１５質量％、より好ましくは１〜１０質量％、特に好ましくは２〜１０質量％、含有する。
【００１９】
また、（ｂ）成分は、下記一般式（１）で表される非イオン性化合物から選ばれる少なくとも１種の非イオン性化合物である。
Ｒ11−Ｏ−（Ｒ12−Ｏ）m−Ｈ          （１）
〔式中、Ｒ11は、炭素数８〜２８のアルキル基もしくはアルケニル基、炭素数６〜１８のアリール基、又は炭素数７〜２０のアルキルアリール基であり、Ｒ12は炭素数２〜８のアルキレン基であり、ｍは、１〜１００の数である。〕
【００２０】
（ｂ）成分の好ましい具体例としては、下記の（ｂ−１）成分、（ｂ−２）成分及び（ｂ−３）成分から選ばれる一種以上の化合物が挙げられる。
（ｂ−１）成分：下記一般式（１−１）で表される化合物
Ｒ13−Ｏ−（Ｃ2Ｈ4Ｏ）m1−Ｈ                （１−１）
〔式中、Ｒ13は直鎖又は分岐鎖の炭素数８〜２４、好ましくは１０〜２０のアルキル基又はアルケニル基である。ｍ１は４〜８０、好ましくは８〜６０、更に好ましくは１０〜５０の数である。〕
（ｂ−２）成分：下記一般式（１−２）で表される化合物
Ｒ14−Ｏ−［（Ｃ2Ｈ4Ｏ）m2／（Ｃ3Ｈ6Ｏ）m3］−Ｈ      （１−２）
〔式中、Ｒ14は直鎖又は分岐鎖の炭素数８〜２４、好ましくは１０〜２０のアルキル基又はアルケニル基数である。ｍ２及びｍ３はそれぞれ独立に２〜４０、好ましくは５〜４０の数であり、（Ｃ2Ｈ4Ｏ）と（Ｃ3Ｈ6Ｏ）はランダムあるいはブロック付加体であってもよく、ブロック付加体が好ましい。〕
（ｂ−３）成分：下記一般式（１−３）で表される化合物
Ｒ15−Ｏ−（Ｃ2Ｈ4Ｏ）m4−Ｈ                （１−３）
〔式中、Ｒ15は炭素数６〜１８のアリール基、又は炭素数７〜２０のアリールアルキル基、好ましくはフェニル基であり、ｍ４は１〜２０、好ましくは１〜１５、より好ましくは１〜１０の数である。〕
【００２１】
（ｂ−１）成分の含有量は、柔軟剤組成物中に０．５〜２０質量％、更に１〜１５質量％、より更に２〜１０質量％が好ましい。また、（ｂ−２）成分の含有量は、柔軟剤組成物中に０．５〜２０質量％、更に１〜１５質量％、より更に２〜１０質量％が好ましい。また、（ｂ−３）成分の含有量は、柔軟剤組成物中に０．５〜３０質量％、更に１〜２５質量％、より更に２〜２０質量％が好ましい。また、（ｂ−１）〜（ｂ−３）成分は、それぞれ単独、もしくは組み合わせて使用しても良い。組み合わせて使用した場合には、（ｂ−１）〜（ｂ−３）成分の合計含有量〔（ｂ−１）＋（ｂ−２）＋（ｂ−３）〕が、柔軟剤組成物中に１〜４０質量％、更に２〜３５質量％、特に３〜３０質量％であることが好ましい。
【００２２】
本発明に係る柔軟剤組成物は、液安定性の観点から（ｂ）成分を１〜４０質量％、更に２〜３５質量％、より更に２〜３０質量％含有することが好ましい。（ｂ）成分を配合しない場合、液の著しい増粘や不均一化等を生じ、液安定性が悪くなることがある。
【００２３】
また、本発明に係る柔軟剤組成物では、保存安定性の観点から、（ａ）成分と（ｂ）成分の質量比は、（ｂ）成分の質量／（ａ）成分の質量＝１〜５０であることが好ましく、更に１．３〜３５、より更に１．５〜２０、特に２〜１５であることが好ましい。
【００２４】
また、本発明に係る柔軟剤組成物は、柔軟基剤〔以下、（ｃ）成分という〕を含有する。（ｃ）成分の含有量は、柔軟剤組成物中、５〜３５質量％、更に１０〜３０質量％が好ましい。柔軟基剤としては、下記一般式（２）で表される化合物が好適である。
【００２５】
【化１】
2010222711.tif 000002
【００２６】
〔式中、
Ｒ21は、エステル基、アミド基もしくはエーテル基で分断されていてもよい、炭素数１４〜２６のアルキル基又は炭素数１４〜２６のアルケニル基であり、
Ｒ22は、エステル基、アミド基もしくはエーテル基で分断されていてもよい、炭素数１４〜２６のアルキル基又は炭素数１４〜２６のアルケニル基であるか、あるいは炭素数１〜３のアルキル基又は炭素数１〜３のヒドロキシアルキル基であり、
Ｒ23は、水素原子、炭素数１〜３のアルキル基又は炭素数１〜３のヒドロキシアルキル基であり、
Ｒ24は、炭素数１〜３のアルキル基又は炭素数１〜３のヒドロキシアルキル基であり、
Ｘ-は陰イオン基
である。〕
【００２７】
一般式（２）の化合物の具体例としては、下記一般式（３）の化合物を挙げることができる。
【００２８】
【化２】
2010222711.tif 000003
【００２９】
〔式中、
Ｒ31は、炭素数１４〜２４、好ましくは１６〜２０のアルキル基又は炭素数１４〜２４、好ましくは１６〜２０のアルケニル基であり、
Ｒ32は、炭素数１〜３のアルキル基、炭素数１〜３のヒドロキシアルキル基、又はＲ36−［Ｂ−Ｒ37］d−で示される基（ここで、Ｒ36は、炭素数１４〜２４のアルキル基又はアルケニル基であり、Ｒ37は炭素数１〜６のアルキレン基である。）であり、
Ｒ33は、水素原子、炭素数１〜３のアルキル基又は炭素数１〜３のヒドロキシアルキル基であり、
Ｒ34は、炭素数１〜３のアルキル基又は炭素数１〜３のヒドロキシアルキル基であり、
Ｒ35は、炭素数１〜６のアルキレン基であり、
Ａ、Ｂは、それぞれ独立に、−ＣＯＯ−、−ＯＣＯ−、−ＣＯＮＨ−及び−ＮＨＣＯ−から選ばれる基であり、
ｃ及びｄは、それぞれ独立に、０又は１の数であり、
Ｘ-は陰イオン基
である。〕
【００３０】
一般式（３）の化合物において、Ｒ31は、好ましくは１６〜２０のアルキル基又はアルケニル基であり、Ｒ32は、Ｒ36−［Ｂ−Ｒ37］d−で示される基が好ましい（ここで、Ｒ36は、好ましくは１６〜２０のアルキル基又はアルケニル基であり、Ｒ37は、好ましくはエチレン基又はプロピレン基である）。
【００３１】
また、一般式（３）の化合物において、Ｒ33、Ｒ34は、メチル基又はヒドロキシエチル基が好ましく、Ｒ35は、エチレン基又はプロピレン基が好ましい。Ａ、Ｂは−ＣＯＯ−、−ＣＯＮＨ−が好適であり、ｃ、ｄは少なくとも一方が１の数、好ましくは両方が１の数であることが好ましい。Ｘ-はハロゲンイオン、炭素数１〜３のアルキル硫酸エステルイオン、炭素数１〜１８の脂肪酸イオンが好適である。
【００３２】
（ｃ）成分としては、一般式（３）の化合物において、Ｒ31がアルケニル基で、Ｒ32がＲ36−［Ｂ−Ｒ37］d−で示される基で、Ｒ36がアルケニル基を含有するものが特に好ましい。
【００３３】
一般式（２）の化合物及び一般式（３）の化合物において、具体的なアルケニル基としては、オレイル基、リノール基、パルミトレイル基から選ばれる基、もしくは牛脂、ナタネ油、ヒマワリ油、綿実油、トーモロコシ油、サフラワー油から選ばれる油脂を加水分解して得られる脂肪酸に由来する基を挙げることができる。
【００３４】
本発明の柔軟剤組成物は、酸化防止剤として、ジブチルヒドロキシトルエン（ＢＨＴ）及びブチルヒドロキシアニソール（ＢＨＡ）から選ばれる一種以上の化合物〔以下、（ｄ）成分という〕を含有することが好ましい。その場合、（ｄ）成分と（ａ）成分とを、柔軟剤組成物中に配合する前に予備混合してプレミックス（Ａ）を形成させる工程を経て柔軟剤組成物を製造することができる。プレミックス（Ａ）中の（ａ）成分と（ｄ）成分の質量比は、（ａ）／（ｄ）＝３〜２００が好ましく、４〜１００が更に好ましく、５〜８０がより好ましく、８〜７０がより更に好ましい。このプレミックス（Ａ）は、一般に香料の安定性に用いる場合より、（ｄ）成分を大幅に増量した混合物である。（ａ）成分と（ｄ）成分の混合方法は一般的な方法で差し支えなく、混合時の温度は５〜３０℃が好ましい。プレミックス（Ａ）は長時間貯蔵しても問題ないが、低温で貯蔵した場合（ｄ）成分が析出する恐れがあるため、貯蔵する場合には２０〜３０℃が望ましい。
【００３５】
本発明に係る柔軟剤組成物が、金属封鎖剤を含有することが好ましく、金属封鎖剤としては、エチレンジアミン四酢酸（ＥＤＴＡ）又はその塩が好ましい。
【００３６】
本発明に係る柔軟剤組成物に配合できる成分として、シリコーン等の性能向上剤、塩酸、硫酸、乳酸、グリコール酸、ｐ−トルエンスルホン酸等無機、あるいは有機酸のｐＨ調整剤、無機あるいは有機電解質、溶剤などの粘度調整剤等が挙げられる。また、必要に応じて染料、顔料、抗菌剤、蛍光増白剤、紫外線吸収剤等を含有することができる。該柔軟剤組成物のｐＨは、２０℃において１．５〜５、更に２〜４．５であることが好ましい。また、本発明に係る柔軟剤組成物は、液体組成物であり、残部の水を含有することが好ましい。
【００３７】
＜容器入り柔軟剤＞
本発明の容器入り柔軟剤は、上記柔軟剤組成物を、ポリエチレンテレフタレート層、アルミニウム蒸着層が形成されたプラスチックからなる層、及びアルミニウム層から選ばれる厚さ３〜５０μｍの層〔以下、層（Ｉ）という〕を１層以上含む、厚さ１００〜２５０μｍの複合積層材料を含んで形成される袋状容器に充填してなる物品（柔軟剤物品）である。本発明の容器入り柔軟剤は、衣料等の繊維製品用として好適であり、柔軟剤組成物も繊維製品用として好適な組成、形態とすることが好ましい。
【００３８】
層（Ｉ）のうち、ポリエチレンテレフタレート層は、剛性などについて必要最小限に保持され得る厚さであればよく、厚すぎると製袋加工性が低下し、またコストが上昇するという欠点もあり、逆に薄すぎると強度、剛性などが低下して好ましくないので、厚さは１０〜５０μｍの範囲内であることが好ましく、１５〜３０μｍの範囲内がより好ましい。ポリエチレンテレフタレートは包装材料として公知のものから選択できる。
【００３９】
層（Ｉ）のうち、アルミニウム蒸着層が形成されたプラスチックからなる層は、厚さ３０μｍ未満のプラスチックフィルムにアルミニウム金属を真空蒸着させたものが好ましい。厚さ３０μｍ未満のフィルムは単一のフィルムのみからなる単層であってもよく、各種プラスチックフィルムを積層した多層であってもよい。上記３０μｍ未満のフィルムへのアルミニウム蒸着層の形成は、アルミニウム金属を真空蒸着させる方法により行われ、バッチ式でもよく、連続式でもよい。アルミニウム金属を真空蒸着させる前に、該フィルムを耐熱性樹脂でアンカーコート処理してもよい。真空蒸着の金属層の厚さは数百オングストローム程度でよい。アルミニウム蒸着層を形成するプラスチックは包装材料として公知のものから選択できる。
【００４０】
層（Ｉ）のうち、アルミニウム層は、厚さ３〜１５μｍのものが好ましく、容器の開封性（切り裂き性）といった点から、厚さ３〜１０μｍのものがより好ましい。
【００４１】
積層材料の構造は、上記層（Ｉ）を含んで構成されるものであれば、この種の目的に通常使用される構成のいずれもが採用可能である。積層材料からなる袋状容器の好ましい構成としては、
ポリエチレンテレフタレート層、アルミニウム蒸着層が形成されたプラスチックからなる層、及びアルミニウム層から選ばれる厚さが前記範囲の１層以上〔層（Ｉ）〕を含んで構成される基材層、あるいは層（Ｉ）と延伸ナイロン（ＯＮｙ）からなる層、ポリエチレンテレフタレート（ＰＥＴ）からなる層より選ばれる１層以上とを含んで構成される基材層と、
無延伸ポリプロピレン（ＣＰＰ）からなる層、直線状低密度ポリエチレン（Ｌ−ＬＤＰＥ）からなる層、及び低密度ポリエチレン（ＬＤＰＥ）からなる層より選ばれる１層以上からなるシーラント層と、
及び、必要に応じて、それらの基材層とシーラント層との間に、更に延伸ポリプロピレン（ＯＰＰ）、高密度ポリエチレン（ＨＤＰＥ）、金属蒸着ポリエチレンテレフタレート（ＶＭ−ＰＥＴ）、金属フィルム（好ましくはアルミニウム層）より選ばれる材料からなる層と、
を積層した構造を有する袋状容器である。この場合、基材層は最外層（柔軟剤組成物と接する層から一番遠い層）側に配置される構成が好ましい。各層の積層は、一般的に、ポリウレタン系、エステル系等の接着剤や、カゼインなどの水溶性接着剤などの糊材を用いて行われる。
【００４２】
積層材料は複合フィルム基材であってよく、例えば以下の複合フィルム基材（１）〜（３）のようなものが挙げられるが、これらに限定されるものではない。
・複合フィルム基材（１）：ＰＥＴ（１２μｍ）／ＯＮｙ（１５μｍ）／Ｌ−ＬＤＰＥ（１３０μｍ）
・複合フィルム基材（２）：ＯＮｙ（１５μｍ）／アルミニウム蒸着ＰＥＴ（１２μｍ）／Ｌ−ＬＤＰＥ（１３０μｍ）
・複合フィルム基材（３）：延伸６Ｎｙ（１５μｍ）／ＯＰＰ（２０μｍ）／アルミニウム箔（７μｍ）／Ｌ−ＬＤＰＥ（１３０μｍ）
なお、上記記載において、括弧内はフィルムの厚さを示す。
【００４３】
本発明に用いられる容器は、上述のような複合フィルム基材を、最内層となる層を内側にして重ね合わせ、その周縁部を、ヒートシール等により接着して袋状に成形して得られる。通常、該容器は底部と側部とを有するが、積層材料が層（Ｉ）を含むものであれば、底部と側部とで積層材料が異なっていても同一でもよい。
【００４４】
また、本発明の容器入り柔軟剤に収容されている柔軟剤組成物をハードボトル等に詰替えを行い使用することができる。
【実施例】
【００４５】
以下の実施例及び比較例で用いた袋状容器を構成する積層材料を表１に示す。
【００４６】
【表１】
2010222711.tif 000004
【００４７】
実施例１及び比較例１
下記配合成分を用いて、表３に示す柔軟剤組成物を、下記調製方法に従い調製し、袋状容器に充填して容器入り柔軟剤を得た。得られた容器入り柔軟剤の柔軟性、残香性（容器外への漏洩防止性及び内容物の香気安定性）を下記の方法で評価した。結果を表３に示す。
【００４８】
＜（ａ）成分＞
（ａ−１）：表２に示す組成の香料組成物
【００４９】
【表２】
2010222711.tif 000005
【００５０】
＜（ｂ）成分＞
（ｂ−１）：エチレンオキシド（以下、ＥＯと表記する）平均付加モル数２０のポリオキシエチレンラウリルエーテル
【００５１】
＜（ｃ）成分＞
【００５２】
【化３】
2010222711.tif 000006
【００５３】
上記（ｃ−１−１）〜（ｃ−１−２）の化合物は公知の方法、又は特開平１１−２２９２７３号公報記載の方法により製造した。
【００５４】
＜その他の成分＞
・シリコーン：高重合ジメチコンエマルジョン
２５℃における動粘度が５００，０００ｍｍ2／ｓのジメチルポリシロキサン６０質量％、平均ＥＯ付加モル数５モルのポリオキシエチレンラウリルエーテル１．５質量％、平均ＥＯ付加モル数２３モルのポリオキシエチレンラウリルエーテル４．５質量％、ラウリル硫酸ナトリウム０．１質量％、水  残部のエマルジョン、分散粒子の平均粒子径５００ｎｍ
【００５５】
＜柔軟剤組成物の調製方法＞
３００ｍＬビーカーに、柔軟剤組成物の出来あがり質量が２００ｇになるのに必要な量の９５％相当量のイオン交換水と（ｂ）成分、塩化カルシウム、抗菌剤（サニゾールＣ、花王（株）製）を入れ、ウォーターバスで７０℃に昇温した。一つの羽根の長さが２ｃｍの攪拌羽根が３枚ついたタービン型の攪拌羽根で攪拌しながら（３００ｒ／ｍｉｎ）、所要量の（ｃ）成分を溶解させた。そのまま５分攪拌後、ｐＨ調整剤として塩酸と４８％水酸化ナトリウム水溶液を用いて目標のｐＨに調整し、出来あがり質量にするのに必要な量の７０℃のイオン交換水を添加した。その後に、該混合物にシリコーン、ＢＨＴ（ジブチルヒドロキシトルエン）、ＢＨＡ（ブチルヒドロキシアニソール）、及び（ａ）成分を添加した。その後１０分間攪拌し、５℃の水を入れたウォーターバスにビーカーを移し、攪拌しながら混合物を３０℃に冷却して、柔軟剤組成物を得た。ｐＨは０．１Ｎ塩酸水溶液又は０．１Ｎ水酸化ナトリウム水溶液により調整した。表２の柔軟剤組成物では、（ｃ−１−１）は、ほぼすべて酸塩の状態で柔軟剤組成物中に存在する。
【００５６】
＜評価法＞
表１の積層材料からなる袋状容器（パウチ）に、表３の組み合わせで液体柔軟剤組成物を５００ｍｌ充填し、ヒートシーラーで密封して容器入り柔軟剤を得た。Ｗ×Ｄ×Ｈ＝２１６×３０９×３００（ｍｍ）（約１２Ｌ）の密閉できるポリプロピレン製容器に、各容器入り柔軟剤１袋を入れ、室温にて１週間保管した。
【００５７】
所定の期間保存後、保存容器の蓋を開け、容器内のニオイを１０人のパネラー（３０代男性１０人）により下記の基準で判定し、平均点を求め、外部への香気物質漏洩防止性及び内容物の香気安定性を以下の基準で評価した。
【００５８】
（１）外部への香気物質漏洩評価（容器外への漏洩防止性）
無臭・・・３
僅かに香気がある・・・２
内容物の香気がわかる・・・１
内容物の香気がはっきりわかる・・・０
この評価において、平均点が２．２点以上は漏洩防止性が良好であり、２．６点以上は漏洩防止性が非常に良好であると判定される。
【００５９】
（２）内容物の香気安定性評価
変化無し・・・３
殆ど変化無し・・・２
やや変化あり・・・１
明らかな変化あり・・・０
この評価において、平均点が２．２点以上は香気安定性が良好であり、２．６点以上は香気安定性が非常に良好であると判定される。
【００６０】
【表３】
2010222711.tif 000007
【００６１】
実施例２及び比較例２
＜ポリマー１の合成＞
以下に、本例で用いたポリマー１の合成例を示す。
（合成例１）
メタクリル酸Ｎ，Ｎ−ジメチルアミノエチル（分子量：１５７．２１）４２．３７ｇ、ラウリルメタクリレート（分子量：２５４．４１）７．６２ｇ、エタノール１８０ｇを均一に混合し、内容量３００ｍＬのガラス製セパラブルフラスコに入れ、窒素雰囲気下で一定時間攪拌した。そこに２，２’−アゾビス（２，４−ジメチルバレロニトリル）（Ｖ−６５；和光純薬工業（株）製）１．４１ｇをエタノール２０ｇに溶解した溶液を添加し、６０℃付近まで昇温した。６０〜７０℃付近で合計８時間保持することで重合・熟成した。そこにエタノール１００ｇを加えて希釈した後、室温まで降温した。この反応溶液をイオン交換水４０００ｇ中に滴下して再沈殿精製し、沈殿物を乾燥してポリマー１を得た。ポリマー１のＭｗ及びＭｎ、Ｍｗ／Ｍｎはそれぞれ１１０００、２８００、３．９であった。（水／エタノール＝７／３系、ポリエチレンオキシド換算）また１Ｈ−ＮＭＲにより分析したポリマー１の組成は仕込みモノマー組成どおり（メタクリル酸Ｎ，Ｎ−ジメチルアミノエチル／ラウリルメタクリレート＝９／１（モル比））であった。
【００６２】
なお、該ポリマーの重量平均分子量（Ｍｗ）及び数平均分子量（Ｍｎ）は、（１％酢酸／エタノール）：水＝３：７（質量比）の混合溶媒で調製したＬｉＢｒの５０ｍｍｏｌ／Ｌ溶液を溶媒として、極性溶媒用ＧＰＣカラム「α−Ｍ（東ソー（株）製）」を２本直列して用い、ポリエチレングリコール換算の分子量により算出したものである。この値に基づきＭｗ／Ｍｎを求めた。
【００６３】
＜（ｃ）成分の合成＞
以下に、本例で用いた（ｃ）成分の柔軟基剤〔（ｃ−２−１）〜（ｃ−２−２）〕の合成例を示す。
（合成例Ｉ）
ヨウ素価９０ｇＩ2／１００ｇ、酸価２０１ｍｇＫＯＨ／ｇのナタネ油由来の原料脂肪酸とトリエタノールアミンとを反応モル比１．８５／１（脂肪酸／トリエタノールアミン）で定法に従って脱水縮合反応を行い、縮合物を得た。次に、溶媒不在下で、この縮合物に対してジメチル硫酸を０．９５当量用い、定法にて４級化を行った後、エタノールで９０％に希釈することにより、目的の第４級アンモニウム塩混合物〔以下、（ｃ−２−１）混合物ともいう〕を得た。
【００６４】
上記で用いた原料脂肪酸並びに脱水縮合物の酸価及びヨウ素価、並びに、上記で得られた第４級アンモニウム塩混合物の物性及び組成をまとめて表４に示す。ここで、表４中のアミン〔化合物（ｃ−２−１−３）〕、アミンモノメチル硫酸塩〔化合物（ｃ−２−１−２）〕、脂肪酸及び第４級アンモニウム塩〔化合物（ｃ−２−１−１）〕の含有量（何れも、質量％、単に％で示した）は、次に示す方法で求めた。
【００６５】
＜アミンの含有量（％）＞
自動電位差滴定装置（京都電子工業株式会社  ＡＴ−５１０）を用いてエタノール溶媒に溶かしたサンプルを０．２Ｎ−ＨＣｌで滴定することにより全アミン価を求め、下記式を用いてアミン含有量を算出した。
【００６６】
【数１】
2010222711.tif 000008
【００６７】
＜アミンモノメチル硫酸塩及び脂肪酸の含有量（％）＞
自動電位差滴定装置（京都電子工業株式会社  ＡＴ−５１０）を用いてエタノール溶媒に溶かしたサンプルを０．１Ｎ−ＫＯＨで滴定し、それぞれの酸価を求めた。それぞれの酸価から下記式を用いてアミンモノメチル硫酸塩及び脂肪酸の含有量を算出した。
【００６８】
【数２】
2010222711.tif 000009
【００６９】
【数３】
2010222711.tif 000010
【００７０】
＜第４級アンモニウム塩の含有量（％）＞
第４級アンモニウム塩の含有量（％）は、上記の方法で算出したアミン、アミンモノメチル硫酸塩、及び脂肪酸の含有量と下記の固形分の含有量との差分を用いて算出した。
＜エタノール含有量＞
エタノール含有量は、揮発分測定装置を用いて測定した。
＜固形分の含有量＞
固形分の含有量は、第４級アンモニウム塩混合物とエタノールの含有量の差分として算出した。
【００７１】
【表４】
2010222711.tif 000011
【００７２】
（合成例II）
ステアリン酸とＮ，Ｎ−ジメチル−１，３−プロパンジアミンとの脱水アミド化反応により合成した。すなわち、Ｎ，Ｎ−ジメチル−１，３−プロパンジアミン１６１ｇとステアリン酸２８４．５ｇを攪拌機、温度計、脱水管のついた４つ口フラスコに入れ、１８０℃まで昇温した。次に、その温度で約５時間生成する水を留去しながら酸価が２ｍｇKOH／ｇになるまで加熱撹拌した。その後、１２０℃に冷却し、減圧下、未反応のアミンを留去し、目的とするＮ−アルカノイルアミノプロピル−Ｎ，Ｎ−ジメチルアミンを得た。尚、酸価は自動電位差滴定装置（京都電子工業株式会社  ＡＴ−５１０）を使用し、イソプロパノールと少量の水に溶解したサンプルを０．１規定KOH水溶液で滴定した。
【００７３】
本例で用いた配合成分を以下にまとめて示す。
・（ａ）成分
（ａ−２−１）〜（ａ−２−５）：下記表５に示す香料組成物
・比較の香料組成物
（ａ−２−６）：下記表５に示す香料組成物
【００７４】
【表５】
2010222711.tif 000012
【００７５】
・（ｂ）成分
（ｂ−２−１）：ポリオキシエチレン（平均付加モル数１９）モノラウリルエーテル
（ｂ−２−２）：ポリオキシエチレン（平均付加モル数８）モノアルキル（炭素数９〜１０）エーテル
【００７６】
・（ｃ）成分
（ｃ−２−１）：合成例Ｉで得た第４級アンモニウム塩混合物〔（ｃ−２−１）混合物〕
（ｃ−２−２）：合成例IIで得たＮ−アルカノイルアミノプロピル−Ｎ，Ｎ−ジメチルアミン
【００７７】
・その他の成分
ポリマー１：合成例１で得たポリマー１
ＰＯＥ（３）モノフェニルエーテル：ポリオキシエチレン（平均付加モル数３）モノフェニルエーテル
Ｃ２４ゲルベＡＳ：２−デシル−１−テトラデシル硫酸エステル
【００７８】
上記配合成分を用いて、表６、７に示す柔軟剤組成物を、下記調製方法に従い調製し、袋状容器に充填して容器入り柔軟剤を得た。得られた容器入り柔軟剤の柔軟性、残香性（容器外への漏洩防止性及び内容物の香気安定性）を、実施例１と同様に評価した。結果を表６、７に示す。
【００７９】
＜液体柔軟剤組成物の調製方法＞
３００ｍＬビーカーに、柔軟剤組成物の出来あがり質量が２００ｇになるのに必要な量の９５％相当量のイオン交換水を入れ、ウォーターバスで６０℃に昇温した。一つの羽根の長さが２ｃｍの攪拌羽根が３枚ついたタービン型の攪拌羽根で攪拌しながら（３００ｒ／ｍ）、所要量の（ｂ−２−１）又は（ｂ−２−２）成分、エチレンジアミン四酢酸（ＥＤＴＡ）と、下記に必要量以外のフェノキシエタノール、ＰＯＥ（３）モノフェニルエーテル、２−メチル−２，４−ペンタンジオール及び１，４−シクロヘキサンジメタノールを溶解させた。次に、所要量の（ｃ）成分と、２−デシル−１−テトラデシル硫酸エステル（Ｃ２４ゲルベＡＳ）を予め溶解するのに必要なフェノキシエタノール、ＰＯＥ（３）モノフェニルエーテル、２−メチル−２，４−ペンタンジオール及び１，４−シクロヘキサンジメタノールと、Ｃ２４ゲルベＡＳとを混合した混合品（４０℃）を添加した。そのまま５分攪拌後、順次、塩化マグネシウム又は安息香酸ナトリウム、（ｂ−２−３）成分、ポリマー１を添加し、５分攪拌後、６２％パラトルエンスルホン酸水溶液と４８％水酸化ナトリウム水溶液で目標のｐＨに調整し、出来あがり質量にするのに必要な量の６０℃のイオン交換水と（ａ）成分又は比較の香料組成物（もしくは香料成分）を添加した。その後１０分間攪拌し、５℃の水を入れたウォーターバスにビーカーを移し、攪拌しながら２０℃に冷却した。なお、表６、７に示すｐＨは冷却後（２０℃）のｐＨであり、表６、７に示す例は配合直後、全て透明もしくは半透明の外観を有している。
【００８０】
【表６】
2010222711.tif 000013
【００８１】
【表７】
2010222711.tif 000014